【手続補正書】
【提出日】平成20年11月20日(2008.11.20)
【手続補正１】
【補正対象書類名】特許請求の範囲
【補正対象項目名】全文
【補正方法】変更
【補正の内容】
【特許請求の範囲】
【請求項１】
フェノールノボラック樹脂と、シラン、又はシラン化合物の混合物とを反応させることを含む方法により得られる、シラン-改質フェノール樹脂であって、該シランは式(C) 又は(D)によって表され：
【化１】
2007502356.tif 000001
（式中、R6、R7、及びR8は、独立に、炭素原子１〜４個のアルキル基、炭素原子１〜８個のアルコキシ基、フェニル基、又はシクロアルキル基であり；R9は、炭素原子１〜１２個を有する、二価の飽和、又は不飽和の脂肪族直鎖、又は分岐炭化水素基であり；Xは、チオール、イソシアナト、又は尿素基であり；Zは、Sx、又はNH基であり、ここで、xは、1、2、3、4、5、6、7、又は8である。）、かつ該シラン-改質フェノール樹脂が実質的に架橋されていない、前記シラン改質フェノール樹脂。
【請求項２】
前記シランが、式(C)により表されたものである、請求項１記載のシラン-改質フェノール樹脂：
【化２】
2007502356.tif 000002
（式中、R6、R7、及びR8は、独立に、炭素原子１〜４個のアルキル基、炭素原子１〜８個のアルコキシ基、フェニル基、又はシクロアルキル基であり；R9は、炭素原子１〜１２個を有する、二価の飽和、又は不飽和脂肪族の直鎖、又は分岐炭化水素基であり；Xは、チオール、イソシアナト、又は尿素基である。）。
【請求項３】
前記シランが、式(D)により表されたものである、請求項１記載のシラン-改質フェノール樹脂：
【化３】
2007502356.tif 000003
（式中、R6、R7、及びR8は、独立に、炭素原子１〜４個のアルキル基、炭素原子１〜８個のアルコキシ基、フェニル基、又はシクロアルキル基であり；R9は、炭素原子１〜１２個を有する、二価の飽和、又は不飽和脂肪族の直鎖、又は分岐炭化水素基であり； Zは、Sx、又はNH基であり、ここで、xは、1、2、3、4、5、6、7、又は8である。）。
【請求項４】
前記フェノールノボラック樹脂が、下記から選択されたものである、請求項１、２、又は３記載のシラン-改質フェノール樹脂：フェノール-ホルムアルデヒドノボラック、フェノール-アルキルフェノール-ホルムアルデヒドノボラック、フェノール-アラルキルフェノール-ホルムアルデヒドノボラック、高度にオルト位のフェノール-ホルムアルデヒドノボラック、フェノール-レゾルシノール-ホルムアルデヒドノボラック、アルキルフェノール-レゾルシノール-ホルムアルデヒドノボラック、アラルキルフェノール-レゾルシノール-ホルムアルデヒドノボラック、レゾルシノール-ホルムアルデヒドノボラック、アルキルレゾルシノール-ホルムアルデヒドノボラック、アルキル-レゾルシノール-レゾルシノール-ホルムアルデヒドノボラック、アラルキルレゾルシノール-レゾルシノール-ホルムアルデヒドノボラック、又はこれらの混合物。
【請求項５】
前記シラン-改質フェノール樹脂を製造する反応の間に、相当量のシロキサンポリマーを形成していない、請求項１、２、又は３記載のシラン-改質フェノール樹脂。
【請求項６】
前記フェノールノボラック樹脂が、式(A)により表される１以上のフェノール化合物と、１以上のアルデヒド、又はケトン化合物とを反応させることにより得られたものである、請求項１、２、又は３記載のシラン-改質フェノール樹脂：
【化４】
2007502356.tif 000004
（式中、R1、R2、R3、R4、及びR5は、独立に、水素原子、ヒドロキシル、炭素原子１〜１５個を有するアルキル、炭素原子８〜１２個を有するアラルキル、ハロゲン、又はアミノ基から選択された有機基を表す。）。
【請求項７】
前記フェノール化合物が、フェノール、アルキル置換フェノール、アラルキル置換フェノール、アリール置換フェノール、又は、フェノール及びアルキルもしくはアリール置換フェノールの混合物である、請求項６記載のシラン-改質フェノール樹脂。
【請求項８】
前記フェノール化合物が、レゾルシノール、アルキル置換レゾルシノール、アラルキル置換レゾルシノール、アリール置換レゾルシノール、又は、レゾルシノール及びアルキルもしくはアリール置換レゾルシノールの混合物である、請求項６記載のシラン-改質フェノール樹脂。
【請求項９】
前記フェノール化合物が、２種の化合物の混合物であり、第１化合物が、フェノール、又はアルキル置換フェノールから選択され；第２化合物が、レゾルシノール、又はアルキル置換レゾルシノール、又はアラルキル置換レゾルシノールから選択された、請求項６記載のシラン-改質フェノール樹脂。
【請求項１０】
前記フェノール化合物が、下記のものである、請求項６記載のシラン-改質フェノール樹脂：フェノール、o-クレゾール、m-クレゾール、p-クレゾール、o-フェニルフェノール、p-フェニルフェノール、3,5-キシレノール、3,4-キシレノール、3-エチルフェノール、3,5-ジエチルフェノール、p-ブチルフェノール、3,5-ジブチルフェノール、p-アミルフェノール、p-シクロヘキシルフェノール、p-オクチルフェノール、p-ノニルフェノール、スチリルフェノール、3,5-ジシクロヘキシル-フェノール、p-クロチルフェノール、3,5-ジメトキシフェノール、3,4,5-トリメトキシフェノール、p-エトキシフェノール、p-ブトキシフェノール、3-メチル-4-メトキシフェノール、p-フェノキシフェノール、アミノフェノール、又はこれらの混合物。
【請求項１１】
前記フェノール化合物が、レゾルシノール、5-メチルレゾルシノール、5-エチルレゾルシノール、5-プロピルレゾルシノール、2-メチル-レゾルシノール、4-メチルレゾルシノール、4-エチルレゾルシノール、4-プロピルレゾルシノール、スチリルレゾルシノール、又はこれらの混合物である、請求項６記載のシラン-改質フェノール樹脂。
【請求項１２】
前記フェノール化合物が、フロログルシノール、ピロガロール、カシューナッツシェル液、又はこれらの混合物である、請求項６記載のシラン-改質フェノール樹脂。
【請求項１３】
前記アルデヒドが、ホルムアルデヒド、アセトアルデヒド、プロピオンアルデヒド、ブチルアルデヒド、イソ-ブチルアルデヒド、n-バレルアルデヒド、ベンズアルデヒド、クロトンアルデヒド、桂皮アルデヒド、又はこれらの混合物である、請求項６記載のシラン-改質フェノール樹脂。
【請求項１４】
前記シランが、下記のものである、請求項１、又は２記載のシラン-改質フェノール樹脂： 3-(イソシアナトプロピル)トリエトキシシラン、3-(メルカプトプロピル)トリメトキシシラン、3-(メルカプトプロピル)トリエトキシシラン、N-(3-(トリエトキシシリル)プロピル)尿素、ビス-シリルポリ硫黄シラン、ビニルメチルジエトキシシラン、ビニルメチルジメトキシシラン、ビニルトリエトキシシラン、ビニルトリブトキシシラン、ビニルトリイソプロポキシシラン、ビニルトリイソプロペノキシシラン、ビニルトリメトキシシラン、ビニルトリフェノキシシラン、ビニルトリス(2-メトキシエトキシ)シラン、ビニルジメチルエトキシシラン、又はこれらの混合物。
【請求項１５】
前記ビス-シリルポリ硫黄シランが、下記のものである、請求項１４記載のシラン-改質フェノール樹脂：3,3'-ビス(トリメトキシシリルプロピル)ジスルフィド、3,3'-ビス(トリエトキシシリルプロピル)テトラスルフィド、3,3'-ビス(トリメトキシシリルプロピル)テトラスルフィド、2,2'-ビス(トリエトキシシリルエチル)テトラスルフィド、3,3'-ビス(トリメトキシシリルプロピル)トリスルフィド、3,3'-ビス(トリエトキシシリルプロピル)トリスルフィド、3,3'-ビス(トリメトキシシリルプロピル)ヘキサスルフィド、3,3'-ビス(トリメトキシシリルプロピル)オクタスルフィド、3,3'-ビス(トリオクトキシシリルプロピル)テトラスルフィド、3,3'-ビス(トリヘキソキシシリルプロピル)ジスルフィド、ビス-シリルアミノシラン類、又はこれらの混合物。
【請求項１６】
さらに、前記フェノールノボラック樹脂を製造する反応が、ビニル芳香族化合物を含む、請求項６記載のシラン-改質フェノール樹脂。
【請求項１７】
前記ビニル芳香族化合物が、R11-CH=CH2により表され、ここでR11は、フェニル、又は置換フェニルである、請求項１６記載のシラン-改質フェノール樹脂。
【請求項１８】
前記ビニル芳香族化合物が、スチレン、α-メチルスチレン、p-メチルスチレン、α-クロロスチレン、ジビニルベンゼン、ビニルナフタレン、インデン、又はビニルトルエンである、請求項１６記載のシラン-改質フェノール樹脂。
【請求項１９】
さらに、加水分解されていない、請求項１、２、又は３記載のシラン-改質フェノール樹脂。
【請求項２０】
前記フェノールノボラック樹脂におけるフェノールのヒドロキシル基の当量数に対する、該シラン化合物におけるアルコキシ基の当量数の割合が、１未満である、請求項１、２、又は３記載のシラン-改質フェノール樹脂。
【請求項２１】
前記フェノールノボラック樹脂におけるフェノールのヒドロキシル基の当量数に対する、該シラン化合物におけるアルコキシ基の当量数の割合が、0.1未満である、請求項１、２、又は３記載のシラン-改質フェノール樹脂。
【請求項２２】
請求項１〜２１のいずれか１項記載の該シラン-改質フェノール樹脂を含む、ゴム配合剤。
【請求項２３】
(a)ゴム成分、(b)加熱によりホルムアルデヒドを生じるメチレンドナー化合物；及び(c)フェノールノボラック樹脂と、シラン、又はシラン化合物の混合物とを反応させることを含む方法により得られたシラン-改質フェノール樹脂を含む、メチレンアクセプターを含む加硫性ゴム組成物であって、該シランは式(C) 又は(D)によって表される、前記加硫性ゴム組成物：
【化５】
2007502356.tif 000005
（式中、R6、R7、及びR8は、独立に、炭素原子１〜４個のアルキル基、炭素原子１〜８個のアルコキシ基、フェニル基、又はシクロアルキル基であり；R9は、炭素原子１〜１２個を有する、二価の飽和、又は不飽和の脂肪族直鎖、又は分岐炭化水素基であり；Xは、チオール、イソシアナト、又は尿素基であり；Zは、Sx、又はNH基であり、ここで、xは、1、2、3、4、5、6、7、又は8である。）。
【請求項２４】
前記ゴム組成物を加硫する前に、該シラン-改質フェノール樹脂は、実質的に架橋されていないものである、請求項２３記載の加硫性ゴム組成物。
【請求項２５】
前記シラン-改質フェノール樹脂を製造する反応の間に、相当量のシロキサンポリマーを形成していない、請求項２３記載の加硫性ゴム組成物。
【請求項２６】
前記ゴム成分が、天然ゴム、スチレン-ブタジエンゴム、ブタジエンゴム、イソプレンゴム、アクリロニトリル-ブタジエンゴム、クロロプレンゴム、ブチルゴム、ハロゲン化ブチルゴム、エチレン-プロピレン-ジエンモノマー(EPDM)ゴム、又はこれらの混合物から選択されたものである、請求項２３記載の加硫性ゴム組成物。
【請求項２７】
さらに、スチール、ポリエステル、ナイロン、アラミド、ガラス繊維、又はこれらの組合せから選択された補強材を含む、請求項２３記載の加硫性ゴム組成物。
【請求項２８】
前記補強材が、黄銅、亜鉛、又は青銅でコーティングされたスチールコードである、請求項２７記載の加硫性ゴム組成物。
【請求項２９】
請求項２３記載の加硫性ゴム組成物を含む、加工製品。
【請求項３０】
前記加工製品が、タイヤ、パワーベルト、コンベヤーベルト、印刷用ロール、ゴムヒール、ゴム靴底、自動車のフロアマット、トラックの泥除けフラップ、又はボールミルライナーである、請求項２９記載の加工製品。